(57)【要約】【課題】  帯状把手を備えた蓄電池は梱包箱から取り出すには都合がよいが、前記帯状把手をもって高い位置にまで持ち上げるのは容易でなく、高い棚等に蓄電池を載置するのが困難な問題を抱えている。したがって、本願発明の目的は、帯状把手を備えた蓄電池において、梱包箱からの取り出しが容易であると共に高い位置への載置も容易な把手を備えた蓄電池を提供することにある。【解決手段】  帯状把手を備えた蓄電池において、前記帯状把手には、把持手段が設けられていることを特徴とする発明である。【選択図】      図１
2005276497.tif 000002
【特許請求の範囲】
【請求項１】
帯状把手を備えた蓄電池において、
前記帯状把手には、把持手段が設けられていることを特徴とする蓄電池。
【発明の詳細な説明】
【技術分野】
【０００１】
帯状把手を備えた蓄電池に関する。
【背景技術】
【０００２】
蓄電池では、容量が大ききなるほど重量が重くなるのは周知である。したがって、重い蓄電池では、持ち運びを容易にするために把手が取り付けられていることが多い。
【０００３】
図４は、鉛蓄電池の上面にループ状に配した帯状把手を取り付けた状態示す要部模式図で、１は鉛蓄電池、２は鉛蓄電池用電槽、３はその蓋、４は前記蓋短側面に設けた把手用嵌着係止部（以降、「把手用」を省略する）、４１は前記嵌着係止部４の狭部、５は液口栓、６は端子、７は帯状把手、８は帯状部、９は帯状部８の両端部近くの両長側面に設けた一対の切欠部、１０は帯状部８の両端に設けた係止部（図４では一方のみを図示）をそれぞれ示す。本明細書では、「帯状把手７」とは、帯状部８と帯状部８の両端に設けた係止部１０とを合わせたものを意味する。
【０００４】
図４に示すように、帯状部８に設けた切欠部９を蓋３の短側面に設けた嵌着係止部４の狭部４１に嵌合させた後、帯状部８を上方向に引っ張り上げると係止部１０が前記嵌着係止部４に嵌着係止され、固定される。このような状態で帯状把手７を持って鉛蓄電池１が搬送される。
【０００５】
着脱可能な、ループ状の蓄電池用把手が特許文献１に提案されている。
【０００６】
【特許文献１】実用新案登録第２５８４８３４号
【発明の開示】
【発明が解決しようとする課題】
【０００７】
図４に示すループ状に配した帯状把手７は、梱包箱に収納された蓄電池を取り出す場合、特に蓄電池と梱包箱との間に隙間がない状態では、片手で帯状部８を持ち、他の手で梱包箱を押さえれば、梱包箱が蓄電池と一緒に上昇することなく、容易に蓄電池を取り出すことができる。しかし、ループ形状の帯状把手７の方式では、そのループの長さにもよるが蓄電池を高い位置にまで持ち上げることが困難で、棚の上等の高い位置に載置・設置するのがやり難い問題を抱えている。
【０００８】
したがって、本願発明の目的は、梱包箱に収納された蓄電池の取り出しが容易で、しかも高い位置への載置も容易な帯状把手を備えた蓄電池を提供することにある。
【課題を解決するための手段】
【０００９】
本願発明の課題を解決するための手段として、請求項１による発明は、帯状把手を備えた蓄電池において、前記帯状把手には、把持手段が設けられていることを特徴とするものである。
【発明の効果】
【００１０】
以上、説明したように、帯状把手を備えた蓄電池において、前記帯状把手に把持手段を設けることにより、蓄電池の梱包箱からの取り出しが容易で、しかも高い位置への載置・設置も容易になり、蓄電池の脱梱包作業、搬送ならびに設置作業が大幅に改善され、その工業的効果が極めて大である。
【発明を実施するための最良の形態】
【００１１】
本発明を実施するための最良の形態は、帯状把手を備えた蓄電池において、前記帯状把手には、把持手段が設けられた構造にすることである。
【００１２】
ここでの「把手手段」は、帯状把手を構成する帯状部および係止部とは異なるものである。
【００１３】
具体的には、帯状部が第一の把持部であるので、それ以外に帯状把手の一部に両手で持ち上げることができる一対の把持手段を設けることで、この把持手段が第二の把持部となる。
【００１４】
前記把持手段を帯状把手に設ける位置は、特に限定されるものではないが、蓄電池を高い位置にまで持ち上げることを目的としていることから、蓄電池の上面近くに設けるのが好ましいといえる。
【００１５】
また、把持手段の形状は、親指を除く３本または４本の指が挿入できる形状、例えば枠体や５本の指で把持できる形状、例えば棒状部が挙げられるが、手によって把持できる形状であれば前記にこだわるものではない。
【００１６】
さらに、把持手段の材質は、帯状部と同じものを用い、一体に成型することができる。また、別の材質を用い、帯状把手の帯状部と第二の把持部である把持手段とを縫製、溶着あるいは接着等の方法で接合することができる。
【００１７】
本願発明の帯状把手は、蓄電池から着脱可能および着脱可能でない把手のいずれに対しても効果が得られるのはいうまでもない。
【実施例】
【００１８】
本発明を実施例に基づき詳細に説明する。
(実施例１)
図１は、本発明に基づく実施例１の帯状把手および鉛蓄電池を示す要部模式図で、１１は把持手段である枠体を示す。他の構成部材は図４と同じ番号を付記する。
図１に示すように、帯状部８、切欠部９および係止部１０から構成された帯状把手７が第一の把持部で、前記帯状部８と切欠部９との間に設けた枠体１１が把持手段、すなわち第二の把持部である。
【００１９】
帯状把手７を蓄電池に嵌着係止する方法は、図４に示した従来の帯状把手と同じ方法で行われる。蓄電池１が梱包箱に収納されている場合には、第一の把持手段である帯状把手７を持ち上げて取り出すことができる。また、蓄電池を高い位置に載置・設置する必要がある場合には、第二の把持手段である前記枠体１１に親指を除く３〜４本の指を挿入して蓄電池を持ち上げればよい。
【００２０】
本実施例では、帯状部８、切欠部９、係止部１０および枠体１１が硬質ＰＰ樹脂で一体に成型されている。
（実施例２）
図２は、本発明に基づく実施例２の帯状把手および鉛蓄電池を示す要部模式図で、実施例１と同じ構造であるが、軟質帯状部８１を用いたことに特徴がある。他の構成部材は図１と同じ番号を付記する。
図２に示すように、実施例２では、軟質帯状部８１が変形自在であるので、固定金具で鉛蓄電池を固定する場合に、帯状把手７の上から固定金具を取り付けることが可能で、帯状把手７が着脱可能機能を備えている必要がなく、帯状把手７の鉛蓄電池１への取り付け構造が簡単になる利点をも有している。
【００２１】
実施例２では、軟質帯状部８１はＰＰ樹脂繊維からなる織布で構成されており、前記帯状部８１の端部と硬質ＰＰ樹脂からなる枠体１１とが熱溶着により接合されている。また、枠体１１、係止部１０および切欠部９が設けられている部分は、硬質ＰＰ樹脂で一体に成型されている。
【００２２】
上記形状以外に、枠体１１の下端部と係止体１０とを軟質帯状部８１と同じ部材の帯状部を介して接合した形状も可能である。この場合、切欠部９を設ける必要がなく、前記軟質帯状部を幅方向に折り曲げて、嵌着係止部４の狭部４１に挿入し、軟質帯状部８１を上部に引き上げれば、係止部１０を嵌着係止部４に嵌着・係止することができる。勿論、この構成は、着脱機能を備えていな帯状把手にも適用できるのはいうまでもない。
【００２３】
また、軟質帯状部８１と枠体１１との接合方法は、上述した熱溶着以外に、前記軟質帯状部８１を枠体の上端に巻き付け、合わせ面を縫製あるいは接着により接合する方法も可能である。
【００２４】
ここでの軟質とは、変形自在な部材で、実施例２ではＰＰ樹脂繊維の織布が用いられているが、これに限定されるものでなく、他の合成繊維からなる織布あるいは不織布も適用可能である。
【００２５】
硬質とは蓄電池を持ち上げても、蓄電池の重量に耐え、変形しない部材をいい、上述した硬質ＰＰ樹脂以外に硬質ＡＢＳ樹脂あるいはＰＥ樹脂等が挙げられる。また、金属も適用可能な部材である。
（実施例３）
図３は本発明に基づく実施例３の帯状把手および鉛蓄電池を示す要部模式図で、１２は帯状把手７の一部に設けた把持手段である棒状部を示す。他の構成部材は図１と同じ番号を付記する。
図３に示すように、本実施例においても、第一の把持部である帯状部８、切欠部９、係止部１０からなる帯状把手７に第二の把持部である棒状部１２が付加された構造で、ここでは、これらは硬質ＰＰ樹脂で一体に成型されている。
【００２６】
この場合も、高い棚等に鉛蓄電池を載置する場合には、両手で一対の棒状部１２を掴み、鉛蓄電池を持ち上げればよい。
【００２７】
本実施例３でも、帯状部８の代わりに実施例２の軟質帯状部８１を用い、熱溶着あるいは接着により棒状部１２と接合した形状にすることもできる。また、棒状部１２に矩形状の貫通孔を設け、軟質帯状部８１を前記貫通孔に挿通した後、係止部１０に巻きつけ、合わせ面を縫製、溶着あるいは接着により接合する形状も可能である。その場合、前記貫通孔に接着剤を注入し、棒上部１２を軟質帯状部８１に固定する必要がある。
【００２８】
また、棒状部１２は、実施例３では、円筒形状を有しているが、角形あるいは多角形でもよく、形状に限定されるものではない。
【００２９】
枠体１１および棒状部１２の材質は、硬質ＰＰ樹脂以外の他の樹脂、例えば、ＡＢＳ樹脂、ＰＥ樹脂等が適用可能である。さらに金属も適用可能で、前記枠体１１あるいは棒状部１２に手をかけ、持ち上げた時に変形せず、蓄電池の重量に耐えられるものであれば特に材質にはこだわらない。
【００３０】
実施例１〜３においては、鉛蓄電池について説明してきたが、本願発明は鉛蓄電池にのみ限定されるものでなく、帯状把手を備えた蓄電池であれば種類に関係なく適用可能であることはいうまでもない。
【図面の簡単な説明】
【００３１】
【図１】本願発明に基づく実施例１の帯状把手および鉛蓄電池を示す要部模式図。
【図２】本願発明に基づく実施例２の帯状把手および鉛蓄電池を示す要部模式図。
【図３】本願発明に基づく実施例３の帯状把手および鉛蓄電池を示す要部模式図。
【図４】従来の帯状把手を取り付けた鉛蓄電池を示す要部模式図。
【符号の説明】
【００３２】
１  鉛蓄電池
２  鉛蓄電池用電槽
３  鉛蓄電池用蓋
４  把手用嵌着係止部
４１  嵌着係止部の狭部
７  帯状把手
８  帯状部
８１  軟質帯状部
９  切欠部
１０  係止部
１１  枠体
１２  棒状部
【図１】
2005276497.tif 000003
【図２】
2005276497.tif 000004
【図３】
2005276497.tif 000005
【図４】
2005276497.tif 000006